Podtech/llm-jp-corpus-v4-ja_patent huggingface dataset:
(57)【要約】      （修正有）【課題】手首及び指による投球鍛錬を行う際、他方手を利用し支点を作り、一方手に不必要な圧迫負荷がかかることを避け、且つ反発力を他方手の力の調整により疲労に応じた強さに随意に調整し、一方手が不必要な圧迫疲労を受けることなく、長時間の繰返し鍛錬の持続を可能にする。【解決手段】２本の支柱間に橋渡しされた掴み取手、副板、バネアーム及びその先端に取付けられた回転体等から構成され、一方の手に載せて、他方の手は掴み取手を保持し、一方の手の平で回転体を握り、掴み取手を支点として屈伸運動を繰り返すことによって手首、指筋力、他方の手の押し力をも向上させる。  副板は自由に回転し腕の表面角度に合わせて柔軟に副えるように工夫されている。支柱に具備された掴み取手を他方の手で保持し、屈伸の支点をこの掴み取手に置くことによって一方手に不必要な圧迫負荷がかかることを回避すると共に他方の手の力を随意に調節する。【選択図】図３
0003116439.tif 000002
【実用新案登録請求の範囲】
【請求項１】
支柱と、この支柱に取付けられ、且つ一方手で支持する掴み取手と、この取手の下方位置で、しかも支柱に備えられ、他方手の肘部部に副う副板で器具本体を構成し、更に器具本体の上部より引き伸ばされたバネアームを取付け、バネアームの先端に回転自在に装備されると共に他方の手の平に収められる回転体とで成したことを特徴とする野球等の投球鍛錬器具。
【請求項２】
支柱を左右平行に対峙させ、この左右支柱間に掴み取手及び副板を橋渡し、且つ左右支柱の上端にバネアームの基端を固定したことを特徴とした請求項１記載の野球等の投球鍛錬器具。
【請求項３】
バネアームを１本の金属線にて形成した請求項１〜２に記載の野球等の投球鍛錬器具。
【請求項４】
副板を回転軸に軸支持させたことを特徴とした請求項１〜３に記載の野球等の投球鍛錬器具。
【考案の詳細な説明】
【技術分野】
【０００１】
この考案は野球、ソフトボール等の投球スピードを高めるために手首のスナップ力と指筋力を同時に向上させると共に他方の手の突張り力をも向上させる鍛錬器具に関する。
【特許文献１】特開２００４−００８３４９
【背景技術】
【０００２】
一般のこの種の器具は片手のみでその手を鍛錬する。腕、手首、手の平が自由空間で屈伸鍛錬できることが理想であるが、片手のみでの鍛錬では屈伸の支点をその腕の何処かで最低2箇所必要とする。繰返し回数が多い場合又は鍛錬時間が長くなると、その支点の接触腕部分、手首部分に不必要な圧迫負荷がかかり、筋肉痛、血行障害の原因となる場合がある。この支点の圧迫負荷が鍛錬する腕にかからないように他方の手の掴み取手を支点にし、長時間又は多数繰返し屈伸鍛錬を可能にすることがこの投球鍛錬器具の意図するところである。
【考案の開示】
【考案が解決しようとする課題】
【０００３】
本考案は、手首及び指による投球鍛錬を行う際、他方手（Ｈａ）を利用し支点を作り、一方手（Ｈｂ）に不必要な圧迫負荷がかかることを避け、且つ反発力を他方手（Ｈａ）の力の調整により疲労に応じた強さに随意に調整し、一方手（Ｈｂ）が不必要な圧迫疲労を受けることなく、長時間の繰返し鍛錬の持続を可能にする。
【課題を解決するための手段】
【０００４】
以上の課題を解決するために本考案は支柱（１）に取付けられ、且つ他方手（Ｈａ）で支持する掴み取手と、この取手の下方位置で、しかも支柱（１）に備えられた一方手（Ｈｂ）の肘部に副う副板（３）を備えた器具の上部にバネアーム（４）を取付け、バネアームの先端に、他方の手の平で握ることのできる回転体（５）を取付け、他方手（Ｈａ）を支点として長時間の鍛錬を可能にする投球鍛錬器具である。
【考案の効果】
【０００５】
（１）請求項１の器具には、一定の反発力を有するバネ（４）を使用するが、他方手（Ｈａ）の支点を支える力を随意に調整することによって、一方手（Ｈｂ）に作用する力を機械的調整することなく、自力に合うように随意に調節し屈伸反復運動ができる。
（２）請求項２に記載の支柱間に橋渡した掴み取手（２）及び副板（３）によって、鍛錬する一方の手に作用する支点を無くすることができるために、支点の圧迫負荷が原因となる筋肉痛、その他傷害を排除できる。同時に他方の腕の押力を向上させる。
（３）請求項３に述べるバネは板バネ、線状バネその他各種バネを利用することを可能ならしめる。
【考案を実施するための最良の形態】
【０００６】
以下本考案の実施の形態を示す図面に基づき説明する。
【実施例１】
【０００７】
図２に示す如く、支柱（１）とこの支柱（１）に取付けられ、且つ他方手（Ｈａ）で支持する掴み手（２）と、その下方位置で備えられた一方の手（Ｈｂ）の肘に副う副板（３）とで器具本体を構成し、この器具本体の上部にバネアーム（４）と回転体（５）を取付ける。
【実施例２】
【０００８】
図４及び５に示す如く、支柱を１本にした片持ち型の器具本体とし、その上部にバネアームと回転体を取付ける。
【実施例３】
【０００９】
器具本体を強化プラスチック等で成形し一体化した物にバネアームと回転体を同様に取付ける。
【産業上の利用可能性】
【００１０】
この考案は野球の選手を目指す若者達の手首、指筋力の鍛錬を自然の投球フォームに近い形で行うことを目的としたものである。野球場での練習を行わない自由時間（家庭内或いはその他自由時間）にこの器具を用いてバネの反発力を利用し手首、指筋肉の屈伸を繰返し行い鍛錬する。
【図面の簡単な説明】
【００１１】
【図１】図１は上から見た平面図である。
【図２】図２は正面図。
【図３】図３は側面図であるが手の器具との関連を示す。
【図４】図４は１本の支柱のみの本体の場合の器具の平面図。
【図５】図５は１本の支柱のみの本体の場合の器具の正面図。
【図６】図６は強化プラスチック等で一体化した本体を成型した場合の想定図の1例。
【符号の説明】
【００１２】
１  支柱
２  他方手（Ｈａ）の掴み取手（支点）
３  副板
３a  副板止めビス
４  バネ
４a  バネ下端
５．真中に貫通穴を有する野球ボール又は回転体
６．パイプ
【図１】
0003116439.tif 000003
【図２】
0003116439.tif 000004
【図３】
0003116439.tif 000005
【図４】
0003116439.tif 000006
【図５】
0003116439.tif 000007
【図６】
0003116439.tif 000008
(57)【要約】      （修正有）【課題】エアパッキン本来の品物を梱包するという使い方以外の利用方法を生み出し、人形の新しい遊び方、使い方をする。【解決手段】人形の表面をその形状のおもしろさを利用してエアパッキンにすることにより、エアパッキンの本来の使い方以外に利用方法を生み出し、エアパッキン人形のエアパッキン部分をつぶして遊ぶという利用方法。【選択図】図１
0003116434.tif 000002
【実用新案登録請求の範囲】
【請求項１】
物体の表面がエアパッキンの人形、玩具。
【考案の詳細な説明】
【技術分野】
【０００１】  本考案は、物体の表面がエアパッキンの人形、玩具に関するものである。
【背景技術】
【０００２】  エアパッキンは品物を梱包することだけを目的としていた。
【考案の開示】
【考案が解決しようとする課題】
【０００３】  人形の表面をエアパッキンにすることにより、エアパッキン本来の品物を梱包するという使い方以外の利用方法を生み出すことで前途の欠点を解決しようとするものである。
【課題を解決するための手段】
【０００４】  本考案は、人形の表面をその形状のおもしろさを利用してエアパッキンにすることにより、エアパッキンの本来の使い方以外に利用方法を生み出し、エアパッキン人形のエアパッキン部分をつぶして遊ぶという利用方法もあり、課題を解決している。
【考案の効果】
【０００５】  上述の様に、本考案のエアパッキン人形は本来のエアパッキンの利用方法以外の利用方法を生み出し、エアパッキン人形をつぶして遊ぶという使い方もできる。
【考案の実施するための最良の形態】
【０００６】  エアパッキンをまるめたり、縫い合わせて人形の形を造り、エアパッキン人形を握るとエアパッキン部分がつぶれるようにする。
【実施例】
【０００７】  以下、添付図面に従って一実施例を説明する。１はエアパッキン人形本体で中身は空気。２はエアパッキンで人形の表面である。人形を握ったりすることにより表面のエアパッキン部分がつぶれる仕組みとなる。
【図面の簡単な説明】
【０００８】
【図１】  本考案のエアパッキン人形の一実施例を示す正面図である。
【図２】  本考案のエアパッキン人形の一実施例を示す側面図である。
【符号の説明】
【０００９】  １  人形本体、内部は空気
２  エアパッキン
【図１】
0003116434.tif 000003
【図２】
0003116434.tif 000004
(57)【要約】      （修正有）【課題】二胡の立奏において、楽器にキズを与えず、また楽器の大きさや体型、動きに応じて自由に調節でき、音色を損なわないベルトを提供する。【解決手段】ネット状に編んだコード（紐）の上に楽器を置き、ベルトにくくりつける事である。【選択図】図２
0003116435.tif 000002
【実用新案登録請求の範囲】
【請求項１】
ネット状に編んだコード（紐）をベルトに装着した楽器二胡立奏用ベルト。
【考案の詳細な説明】
【技術分野】
【０００１】本考案は楽器二胡の立奏に於いて、楽器に対してキズを与えず、また楽器の大きさや体型、動きに応じて自由に調節でき、音色を損なわないベルトに関するものである。
【背景技術】
【０００２】二胡を立奏する為に使用するものの多くは主にプラスチックで楽器をはさみこむ為、楽器にキズがついたり音色が損なわれる恐れがあった。ネット状に編んだコード（紐）の上に楽器をのせる事により、これらの問題が解決した。
【考案の開示】
【考案が解決しようとする課題】
【０００３】楽器にキズをつけず、楽器の大きさや体型、動き、位置に応じて自由に調節でき、音色を損なわない点である。
【課題を解決するための手段】
【０００４】ネット状に編んだコード（紐）の上に楽器を置き、ベルトにくくりつける事である。
【考案の効果】
【０００５】楽器にキズがつかず、音色が損なわれる恐れがなくなる。また、楽器の大きさや位置、体型、動きにあわせて自由に調節する事ができる。
【考案を実施するための最良の形態】
【０００６】ベルトに使用するコード（紐）の太さは楽器の重さに耐えうるもので、ある程度の柔らかさを要する。ネット状に編み込む部分は、楽器の大きさによって幅を工夫し、ベルトにしっかりとくくりつける。また、ベルトとネット状に編んだ部分は同素材が好ましい。
【図面の簡単な説明】
【０００７】
【図１】楽器の底面を置く、ネット状に編んだコード（紐）をひろげた平面図である。
【図２】ベルトとネット状に編んだ〔図１〕をくくりつけた平面図である。
【図３】本考案の楽器二胡立奏用ベルトを腰に装着し、使用している事を示すものである。
【符号の説明】
１．コード（紐）の編み目
２．楽器を置くネットの部分
３．ベルト部分
４．ベルトにネットをくくりつけた部分
【図１】
0003116435.tif 000003
【図２】
0003116435.tif 000004
【図３】
0003116435.tif 000005
(57)【要約】      （修正有）【課題】手のひらの上でバランスを保ったまま、ジャンプさせたり、回転させたりするパフォーマンスが容易に可能となるパフォーマンス用遊具を提供する。【解決手段】長さ５０〜７０ｃｍ、重さ１００〜２００ｇ、両端が布、ゴム、プラスティックを含むいずれか１つ以上の材質で覆われていることを特徴する丸棒において、ジャンプ等のパフォーマンスを容易に行うことが可能となる。【選択図】図１
0003116424.tif 000002
【実用新案登録請求の範囲】
【請求項１】
手のひらの上でバランスをとるパフォーマンスをすることを目的とした、長さ５０〜７０ｃｍ、重さ１００〜２００ｇ、両端が布、ゴム、プラスティックを含むいずれか１つ以上の材質で覆われていることを特徴とする丸棒。
【請求項２】
棒の材質が木材、金属、ゴムまたはプラスティックのいずれか１つ以上の材質であることを特徴とする請求項１に記載の丸棒。
【考案の詳細な説明】
【技術分野】
【０００１】  本考案は、手のひらの上でバランスをとりながら、その状態でジャンプ、回転などをさせることができるパフォーマンス用遊具に関する。
【背景技術】
【０００２】  近年、ジャグリングに代表されるようなパフォーマンスが注目されるようになり、ボールやクラブ、ディアポロ（中国ゴマ）、トーチ、シガーボックス、デビルスティックなどの様々な道具を用いたパフォーマンスが見られるようになっている。【０００３】  その中で体の一部で棒のバランスをとるパフォーマンスも知られており、具体的には手のひら、足、顎、おでこなどで行われる。これらのパフォーマンスは、基本的には棒を動かすことなくバランスをとり続けることを目的としている。【０００４】  更には棒を動かすことなくバランスをとり続けるだけではなく、バランスを保ったままその棒をジャンプさせたり、回転させたりすることも可能である。デビルスティックの様々なテクニックについて記載されている「デビルスティック大全（矢熊伸之介監修、Ｊｕｇｇｌｉｎｇ  ｓｈｏｐナランハ発行）」Ｐ１０９〜１１３には、デビルスティックのセンタースティックを用いた、様々なバランスの手法について紹介されている。【０００５】  しかしながら、デビルスティックは、基本的には両手にもったハンドスティックでセンタースティックをたたくパフォーマンスであり、センタースティックはコントロールしやすくするため長く（市販品においては６６〜７０ｃｍ程度）、また耐久性を持たせるため幅が太く重い（市販品においては２２０〜２８０ｇ程度）棒となってしまう。そのため手のひらの上でバランスを保ったまま棒をジャンプさせたり、回転させたりするパフォーマンスに際しては、必ずしも十分な性能を有していなかった。
【課題を解決するための手段】
【０００６】  そこで、本問題を解決するため鋭意検討した結果、長さ５０〜７０ｃｍ、重さ１００〜２００ｇ、両端が布、ゴム、プラスティックを含むいずれか１つ以上の材質で覆われていることを特徴する丸棒（図１）を考案した。
【考案の効果】
【０００７】  本考案の棒を使用することで、手のひらの上でバランスを保ったまま、ジャンプさせたり、回転させたりするパフォーマンスが容易に可能となり、バランスを主体としたパフォーマンスの可能性を著しく広げることができる。
【考案を実施するための最良の形態】
【０００８】  本考案の棒の特性として重要なことは、長さ、重さ、両端などの材質である。【０００９】  長さであるが、一般に棒の長さが長くなるほど、バランスを容易に取ることは可能であるので、棒を動かすことなくバランスをとり続けるだけで有れば、棒の長さは長い方が良い。しかしながら、今回の発明の目的はジャンプさせたり、回転させたりを自由自在にすることであり、そのためにはハンドリング向上のため長さを短くする必要があった。一方、短すぎると棒のバランスを取ることが困難になるため、ある程度の棒の長さが必要であると考え、種々検討の結果、５０〜７０ｃｍが良好であった。【００１０】  重さであるが、軽すぎると野外で行った場合に風の影響を受けてしまうこと、また棒を回転後、手のひらで棒を握ることなくキャッチするが、その際に手のひらの上で棒が弾んでしまい、操作性が悪くなることが判明した。一方重すぎると、連続回転時の腕への負担が大きくなるため回転速度が低下し、パフォーマンスの見栄えが悪くなること、また操作ミスをした場合の怪我のリスクが高くなることが判明し、棒の重さが適正である必要があると考え、種々検討の結果、１００〜２００ｇが良好であった。【００１１】  両端の材質は手のひらと直接接する部分であるため、何らかの保護が必要であり、そのためその材質は極めて重要となる。布、ゴム、プラスティックを含むいずれか１つ以上の材質で、手のひらと繰り返し接触しても手のひらが怪我をしないこと、操作ミスにより棒の一端がコンクリート製の地面などとぶつかっても壊れないこと、また柔らかすぎないことを要件として満たすカバー状のもので覆われてあればよい。【００１２】  また、棒の材質であるが、基本的には上記の用件を満たすものであれば何であっても問題でなく、望ましくは木材、金属、ゴムまたはプラスティックのいずれか１つ以上の材質であることを特徴とする丸棒であればよい。
【図面の簡単な説明】
【００１３】
【図１】  本考案品の正面図である
【図２】  カバー部分の断面図である
【符号の説明】
【００１４】  １  丸棒
２  カバー
【図１】
0003116424.tif 000003
【図２】
0003116424.tif 000004
(57)【要約】【課題】  小型で軽く、保管スペースが小さく、飾り付けにあまり力を要しないで、安価に提供できる、多くの一般家庭でも利用しやすい盆飾りを提供する。【解決手段】  直方体状の台１の上面に中陰段脚固定枠２，３を設ける。直方体状の台１の上面に支柱支持部４を２以上設ける。支柱支持部４に支柱挿入穴５を設ける。【選択図】  図２
0003116425.tif 000002
【実用新案登録請求の範囲】
【請求項１】
（イ）直方体状の台１の上面に中陰段脚固定枠２，３を設ける。
（ロ）直方体状の台１の上面に支柱支持部４を２以上設ける。
（ハ）支柱支持部４に支柱挿入穴５を設ける。
以上のごとく構成された、支柱１１と中陰段１２を固定させる盆飾り用の台。
【考案の詳細な説明】
【技術分野】
【０００１】  この考案は、支柱（笹竹）と中陰段を固定させる盆飾り用の台に関するものである。
【背景技術】
【０００２】  従来の盆飾りの一つに、次のようなものがある。（図１参照）
ア：位牌、供物、線香などを置く中陰段１２を設け、それを布１３で覆う。中陰段１２は木製が多く、組立て・分解できるようになっている。
イ：中陰段１２の両脇に笹竹・支柱１１を置く。笹竹は本物の変わりにプラスチック製の支柱１１・笹１７を使用していることが多い。
ウ：支柱１１と支柱１１を横棒１４でつなぐ。横棒１４には飾り１５を設けている。
エ：中陰段１２の後ろに屏風１６を置く。
オ：中陰段１２に位牌、供物、線香などを置く。
【考案の開示】
【考案が解決しようとする課題】
【０００３】  この盆飾りには次のような欠点がある。
１：中陰段１２の後ろに置く屏風１６の収納スペースが大きい。盆が終わってから保管しておくのに多くのスペースをとるので、一般家庭で利用しにくい。
２：中陰段１２の後ろに置く屏風１６が大きくて重いので、飾る際に手間がかかるので、一般家庭で利用しにくい。
３：中陰段１２の後ろに置く屏風１６は高価であるので、一般家庭で利用しにくい。
本考案は、これらの欠点を解決するためになされたものである。
【課題を解決するための手段】
【０００４】  図２で示すように、
（イ）直方体状の台１の上面に中陰段脚固定枠２，３を設ける。
（ロ）直方体状の台１の上面に支柱支持部４を２以上設ける。
（ハ）支柱支持部４に支柱挿入穴５を設ける。
本考案は、以上のごとく構成された、支柱１１と中陰段１２を固定させる盆飾り用の台である。
【考案の効果】
【０００５】  本考案により次の効果を生む。
１：中陰段１２の後ろに置く屏風１６の代わりに、直方体状の台１が１台、支柱１１が２本、横棒１４が３本、垂れ幕が３枚程度必要になる。しかし、屏風１６に比べ、小型で軽いので、盆が終わってからの保管スペースが減少するので、一般家庭でも容易に収納できる。
２：屏風１６の代わりに用意する前記の用具は、屏風１６に比べ小型で軽く、飾り付けにあまり力を要しないので、一般家庭でも容易に飾り付けできる。
３：屏風１６の代わりに用意する前記の用具は、屏風１６に比べ安価に提供できるので、多くの一般家庭でも利用しやすい。
【考案を実施するための最良の形態】
【０００６】  以下、本考案を実施するための最良の形態を説明する。
図２で示すように、
（イ）直方体状の台１の上面に中陰段脚固定枠２，３を設ける。
（ロ）直方体状の台１の上面に支柱支持部４を２以上設ける。
（ハ）支柱支持部４に支柱挿入穴５を設ける。
本考案は以上の構成よりなっている。
それを次に詳しく説明する。【０００７】  （イ）の「直方体状の台１の上面に中陰段脚固定枠２，３を設ける。」を説明する。中陰段１２の多くは、コの字状であり、飾り付けの際、中陰段脚１２ａは前後でなく左右になるように配置されるので、この中陰段脚１２ａを固定させるために中陰段脚固定枠２，３を設ける。中陰段脚固定枠２と中陰段脚固定枠３は平行に設ける。中陰段脚固定枠２と中陰段脚固定枠３が作る幅は、中陰段脚１２ａが挿入できる幅にする。【０００８】  中陰段１２の大きさや材質などによって中陰段脚１２ａの幅が多少異なる場合を想定して、図４で示すように、中陰段脚固定枠２と中陰段脚固定枠３の間に調整板６を置き、中陰段脚固定枠３の一部に孔を１以上設ける。そして、その孔の内部に雌ネジ部（図示しない）を設け、雄ネジ７を通し、雄ネジ７で調整板６を押し付けるようにする。こうすれば、中陰段脚１２ａの幅が多少異なる場合でも、中陰段脚１２ａをしっかりと固定できる。【０００９】  次に、（ロ）の「直方体状の台１の上面に支柱支持部４を２以上設ける。」と（ハ）の「支柱支持部４に支柱挿入穴５を設ける。」を説明する。
支柱支持部４は、支柱１１を立てるものである。従来の屏風１６をなくした代わりに、支柱１１を２本追加し立てる。こうするために、本考案に支柱支持部４を２以上設ける必要がある。【００１０】  支柱支持部４には、支柱１１を挿入できるように、支柱挿入穴５を設ける。この支柱挿入穴５は深いほど支柱１１は安定するため、支柱支持部４の高さ（厚み）は高い程よい。あるいは、図示しないが、より安定させるためにネジ込み式にしてもよい。この場合は、支柱１１の底に雄ネジを取り付け、支柱挿入穴５に雌ネジを取り付ける。
【使用例】
【００１１】  本考案は、次のように使用する。（図３参照）
１：中陰段１２を置く。
２：中陰段１２の両脇に本考案を１台ずつ置く。このとき、中陰段固定枠が内側に、支柱支持部は外側になるように置く。
３：中陰段１２の脚を中陰段固定枠内に、それぞれ挿入する。
４：支柱支持部の支柱挿入穴に支柱を、それぞれ挿入する。支柱は４本になる。
５：支柱と支柱の間に横棒を、それぞれ取り付ける。横棒は４本になる。
６：正面部を除く横棒に垂れ幕を取り付ける。垂れ幕は、左右と後ろの３枚になる。
【図面の簡単な説明】
【００２０】  図１は、従来の盆飾りの正面図である。
図２は、本考案の斜視図である。
図３は、本考案を使用した盆飾りの正面図の一部である。
図４は、本考案の他の実施例をあらわす正面図である。
【符号の説明】
【００３０】１台    ２中陰段脚固定枠    ３中陰段脚固定枠    ４支柱支持部    ５支柱挿入穴
６調整板    ７雄ネジ
１１支柱    １２中陰段    １２ａ中陰段脚    １３布    １４横棒    １５飾り
１６屏風    １７笹
【図１】
0003116425.tif 000003
【図２】
0003116425.tif 000004
【図３】
0003116425.tif 000005
【図４】
0003116425.tif 000006
(57)【要約】      （修正有）【課題】手軽にワイン等の縦長のビン容器を効率よく水、氷を入れた容器で冷やすことが出来て、そして使用後の後処理が簡単な段ボールの紙製容器を提供する。【解決手段】軽量で持ち運びが便利なように組み立て形式で液体が漏れないように設計した事を特徴とし、食品等を水、氷で冷やせるように耐水性を有する段ボール原紙を使用した段ボール紙製容器である。また、側面の上部に半円の切り込みを設ける事でビン等の縦長の容器を寝かせるように置くことで、コンパクトに効率よく冷やすことが出来るようにした。【選択図】図４
0003116423.tif 000002
【実用新案登録請求の範囲】
【請求項１】
平面で打抜きされた、耐水性を有する段ボール原紙を使用した段ボール紙製容器を箱状に組み立てしたとき、前後及び左右の隣り合う面の連続する角面の罫線を斜めに又中間に対角線の罫線を入れることにより、対角罫線の隣り合う面同士を折り重ねることができ、同じようにして対面側も折り重ねる、この２つの折り重ねた部分を箱の側面側に接するように倒すことによりハの字の形になりその内側の隙間に相対する面の差込み口を差込むことにより水漏れしない持ち運びが容易な船型形式に組み立てられる事を特徴とする段ボール紙製容器。
【請求項２】
紙層間に薄いプラスチック層を形成した耐水性を有する段ボール原紙を使用した段ボール紙製容器であることを特徴とする請求項１記載の段ボール紙製容器。
【請求項３】
側面の片方の上部に半円状の切り口を設け、ガラス製飲料容器の栓部分のネックを半円の切り口に寝かせた状態で置くことにより高さのあるガラス容器の飲料瓶にも安定的かつ効率的に使用できる事を特徴とした請求項１及び請求項２記載の段ボール紙製容器。
【考案の詳細な説明】
【技術分野】
【０００１】  この考案は、本容器に液体を入れても液体漏れがない紙製容器の形状に関する。
【背景技術】
【０００２】  従来、耐水性の紙を使用しての組み立て形式で水漏れしない紙製容器は、直線的で直方体、立方体の箱に応用されている事は知られていた。
【考案の開示】
【考案が解決しようとする課題】
【０００３】  しかしながら、以上の技術によれば組立て後、見た形も直線的で平凡であった。また、屋外等で飲料、果物、食品等を冷やすのに完成された容器であれば大きな体積となり持ち運びには不便であった。  そこで、この考案は舟型で見た形もよく、効率よく飲料、食品等を冷やせ持ち運びに便利で縦長の瓶容器にも対応した組立て形式の段ボール紙製容器を提供することを課題とする。
【課題を解決するための手段】
【０００４】  以上の課題を解決するために、第一考案は、組み立て式の構造で正面壁、側面壁に斜め罫線を設計に取り入れた事、また四隅面を折り重ねた事を特徴とする液体漏れしない段ボール紙製容器である。  第二考案は、紙層に薄いプラスチック層を形成した耐水性がある素材を使用したことを特徴とした液体漏れしない段ボール紙製容器である。第三考案は側面に半円の切り込みを設けることでビン容器のネック部分を半円状の切り込み部分に寝かせるように置くことで安定的に効率よく使用できることを特徴とする段ボール紙製容器である。
【考案の効果】
【０００５】  第一考案、または第二考案によれば、本考案の段ボール紙製容器に水および氷を入れることが出来るので、冷やして美味しいとされる食品を同時に入れる事により、中身を冷やすクールボックスとして利用できる機能を設けたものである。また、組立て式のため、平たい状態で持ち運び易く、置き場所のスペース削減効果が得られる。第三考案でボトル栓の部分を置く切り込みを設けることで、特に、ワインの場合冷やして飲むことが知られ、半円に置かれたボトルの栓部分を持って回しながら全体を冷やすことができ、味わいよく飲むことが出来るようにした。
【考案を実施するための最良の形態】
【０００６】  本考案の一実施形態を、図１の展開図から図４の組み立て完成図に示す。
【実施例】
【０００７】  以下本考案の一実施例を図面に基づいて説明すると、段ボール紙製容器図１はブランク状態の展開図で、１の底面壁の上、下に正面壁ａ、左右側面には内側面壁ｂを、四隅部にコーナー壁２，３を夫々連設し、またコーナー壁部分の中間に対角線状に対角罫線８が設けられ、正面壁ａに連設しているコーナー壁２、内側面壁ｂに連設しているコーナー壁３に分けられている。  又、内側面壁ｂには、底面壁１の反対側に２本の天面折罫線４と外側面壁ｃが連続して連設され、さらに外側面壁ｃには複数の罫線からなる差込部分折罫線６の差込口が連設されている。【０００８】  本考案の段ボール紙製容器は、罫線部分を折って容器に組み立てることで請求事項１〜３を成すものである。【０００９】  そこで、容器に組み立てるにはコーナー壁２，３の中間にある対角罫線８を谷折りにしてコーナー壁２と３の面同志を合わせるように折り込むと、折り込むコーナー壁２，３に連設する正面壁ａ、内側面壁ｂが底面壁１が底になるようにａ、ｂ面の四方壁が自動的に斜め罫線１０と共に起き上がり、容器の形態をなしてくる。【００１０】  次に、図２のように先に合わせたコーナー壁２、３を合わせたままコーナー壁３の面が内側面壁ｂに接するように内側に折りたたむ。そこに、天面罫線を山折りにして外側面壁ｃが、折りたたんだコーナー壁２に接するように合わせたコーナー壁２，３を覆うように合わせる。【００１１】  そこで、図３に示すように、折罫線付差込口６の罫線を山折りに折りながら差込部分を、前もって合わせてあるコーナー壁２，３の３側と内側面壁ｂの隙間に差し込むように挿入する。【００１２】  この折罫線付差込口の差し込み挿入によって本考案の段ボール紙製容器はすべての部分で組み立てられた箇所が固定され容器としての機能が成される。【００１３】  又、水滴防護縁７を容器の外側に折ることにより、液体の出し入れする時などに、水滴等の液体飛散が紙製容器の切断面に付着しづらくすることにより、切断面に水滴等が付着すると剥がれやすくなる弱点をカバーする事が出来る。
【産業上の利用可能性】
【００１４】  本考案は、水等の液体をいれても液漏れしない容器でありながら、請求項２の耐水性の段ボール原紙である紙ベースの主素材を使用してることで、使用後はリサイクルとして再生紙の原料として再生可能である。
【図面の簡単な説明】
【００１５】
【図１】  本考案に係る段ボール紙製容器の展開図
【図２】  本考案に係る組み立て中間の斜視図．
【図３】  本考案に係る組み立て完成一つ前の斜視図
【図４】  本考案に係る組み立て完成の斜視図
【符号の説明】
【００１６】    １    底面壁
２    コーナー壁
３    コーナー壁
４    天面折罫線
５    ボトルネック置場
６    折罫線付差込口
７    水滴防護縁
８    対角罫線
９    底面折罫線
１０  斜め罫線
ａ    正面壁
ｂ    内側面壁
ｃ    外側面壁
【図１】
0003116423.tif 000003
【図２】
0003116423.tif 000004
【図３】
0003116423.tif 000005
【図４】
0003116423.tif 000006
(57)【要約】      （修正有）【課題】パチンコ店に於ける店や台の案内や宣伝のカードと、フィーバーを表示するカードとを確実に保持し、複数枚のカードの中で、頻繁に着脱する一枚のカードを外すことが容易にできる、カード保持具を提供する。【解決手段】カード保持具のくわえ込み部分と、弾性によりくわえ込む力を担う部分とを、共に分割することにより、個別にその力を持たせて、個々に力を発揮させることで、複数のカードを保持出来るようにした。【選択図】図１
0003116421.tif 000002
【実用新案登録請求の範囲】
【請求項１】
板状の弾性体のくわえ込み部分、及び弾性によりくわえ込む力を担う部分を、分割する事により複数の案内板等のカードを、個別に保持することの出来るカード保持具。
【考案の詳細な説明】
【技術分野】
【０００１】  本考案は、カードや案内板等を事情に応じて着脱しなければならない時、（例えばパチンコ店におけるフィーバーの表示やスーパー、商店等の安売りの表示、レジに於ける伝票の保持など。）に使用するものである。
【背景技術】
【０００２】  パチンコ店に於いては、フィーバーが出ると、その台に、その旨を知らせるカードを取り付ける。又パチンコ台や店の状況等を知らせる為にも、同じ場所にカードを取り付ける。従来からカード保持具はあるが、その大半がスプリング等の弾性体の弾力によって保持し、外す時はカードを引き抜くことにより、着脱の用をなしている。しかし従来のものは、一枚でも複数であっても同一箇所で保持するという構造のものがほとんどである。複数枚保持して、その内の一部のカードを保持から外すことは困難な事である。個別に保持出来るものも稀にあるが、それは不安定な構造であったり、その製作に高価な費用を要するものである。
【考案の開示】
【考案が解決しようとする課題】
【０００３】  本考案は、複数枚を保持しても確実に保持し、個別に保持する事も可能な為に、パチンコ店でフィーバー表示のカード等を、個々に着脱することを容易に、確実に行える。又、構造上安価な製作が可能である。
【課題を解決するための手段】
【０００４】  それを図によって説明すれば。
【図４】
に示すカード保持具を、
【図１】
に示すように、板状の弾性体によるカード保持具−１−の作用部−３−及びー５−を複数に分割する。それは
【図１】
に示すように、スリットー４−によって作用部−３−及びー５−を分割すればよい。作用部−３−及びー５−は、
【図２】
に示すように、その弾性によってカードー６−を保持する。
【図３】
に示すように、それぞれのカードー６−、−７−、を個別に分割された、くわえ込み部分−５−に保持させる。頻繁に着脱をするカードは、一枚で保持し、そうでないものは複数枚保持すればよい。又、頻繁に着脱を要するものが多数あれば、そのカードに合わせて、大きさや作用部−３−、−５−、の数を増せばよい。
【考案の効果】
【０００５】  パチンコ店は遊技場である。従業員は安易にスマートに動き回るのが好ましい。パチンコ台の説明や宣伝のカードはそのままに、フィーバーやその終了の表示をするカードを、余計な配慮をせずに、容易に表示、非表示をして店内を動き回る店員は、本人も楽であるし客が見てもよいものである。本考案はそのために開発されたものである。
【考案を実施するための最良の形態】
【０００６】  本考案は個々のパチンコ台の、人目に付く一隅にとりつけるものであるが、保持具−１−に、
【図１】
のようにベースー２−、を設けて接着剤やネジ等で取り付けることが可能である。又、保持具−１−、本体を直接にパチンコ台に前記と同様に取り付けることも可能である。
【産業上の利用可能性】
【０００７】  本考案は縦でも横でも利用可能である。スーパーや商店等のレジやそのそばに取り付けて、伝票や札などを保持しても、容易に着脱出来る為、又一枚でも複数でも対応できる為、有効である。又店内や、人目に付く店頭の一隅に取り付けて、安売りや催し物の案内にも便利に使用できる。
【図面の簡単な説明】
【０００８】
【図１】  本考案の斜視図である。
【図２】  本考案の平面図である。
【図３】  本考案使用時の斜視図である。
【図４】  本考案原型の斜視図である。
【符号の説明】
【０００９】  １、カード保持具本体    ２、ベース    ３、作用部（弾性によりくわえ込む力を担う部分）    ４、スリット    ５、くわえ込み部分    ６、カード    ７、カード
【図１】
0003116421.tif 000003
【図２】
0003116421.tif 000004
【図３】
0003116421.tif 000005
【図４】
0003116421.tif 000006
(57)【要約】  【課題】鳥類や空を飛ぶ乗り物の完成折り紙を空中に浮いたように飾れる飾りスタンドを提供する。  【解決手段】ポリスチレン系樹脂又はポリエチレン系樹脂又はポリプロピレン系樹脂の何れかを基材とする樹脂発泡体により成る基台１上に金属又は合成樹脂又は植物系基材の何れかにより成るスタンド支柱２を突き刺して飾りスタンドを形成する。これにより鳥類や空を飛ぶ乗り物の完成折り紙又はマスコットなどの小物装飾物を空中に浮いたように飾ることができる。【選択図】    図１
0003116452.tif 000002
【実用新案登録請求の範囲】
【請求項１】
樹脂発泡体を基材とする基台上にスタンド支柱を突き刺してなることを特徴とする飾りスタンド。
【請求項２】
前記基台は、ポリスチレン系樹脂又はポリエチレン系樹脂又はポリプロピレン系樹脂の何れかを基材とする発泡体により成り、前記スタンド支柱は金属又は合成樹脂又は植物系基材の何れかにより成ることを特徴とする請求項1記載の飾りスタンド。
【考案の詳細な説明】
【技術分野】
【０００１】
本考案は、空中を飛ぶ動物や乗り物の完成折り紙及びマスコットなど小物装飾物の飾りスタンドに関する。
【背景技術】
【０００２】
従来、１枚の折り紙用紙を使って鶴や鳩などの鳥類や飛行機等の乗り物に模って折った完成折り紙を飾る場合、糸で吊り下げるか又は千羽鶴のように１つ１つを糸で連ねて飾ったり或いは棚や飾り台上にそのまま置いて飾ったりしているのが普通である。
【０００３】
一方、各種キャラクターを模ったマスコットなど小物装飾物は飾り台上にそのまま載置するか或いは木製又はプラスチック製の基台上に成型・加工した支柱を釘や接着剤などの固定手段を用いて固定したものを飾っているのが普通である。
【０００４】
この種のものとして、特開２００３−２１０８６３号公報に示すように折り紙飛行機の一部を切り取りその切り取り部分を利用して機体を飾る台を構成したものもある。
【０００５】
【特許文献１】特開平２００３−２１０８６３号公報（図７、段落０００５〜段落００１２）。
【考案の開示】
【考案が解決しようとする課題】
【０００６】
例えば空を飛ぶ鳥類や乗り物等を模った完成折り紙を飾る場合、折り終わったものに糸を通して天井から吊り下げて飾るのが普通であるが、この場合天井に吊り下げ用糸の引っ掛け具が必要であると共に吊す場所にも制約があり飾り場所を自由に選択できないという問題点がある。一方、鳥類や特開平２００３−２１０８６３号公報に開示するような飛行物体を模った完成折り紙をそのまま棚上や飾り台上に置く場合、折角の折り紙が安定して着座しない他遠くからも目立たない状態で置かれていることが多いのが実態である。
【０００７】
かかる問題点に鑑み、本考案は鳥など空中を飛ぶ動物や乗り物の完成折り紙をわざわざ糸で吊るすことなく簡単な構造で空中に浮かせた状態で飾ることができ、しかも僅かな外力（又は微風）でも自由に回動又は浮動してあたかも空中を飛んでいるようなリアルさを呈することができる飾りスタンドを提供することを目的とする。
【課題を解決するための手段】
【０００８】
上記目的を達成するために本考案は、樹脂発泡体を基材とする基台上にスタンド支柱を突き刺してなることを特徴とする（請求項１）。また、前記基台は、ポリスチレン系樹脂又はポリエチレン系樹脂又はポリプロピレン系樹脂の何れかを基材とする発泡体により成り、前記スタンド支柱は金属又は合成樹脂又は植物系基材の何れかにより形成することもできる（請求項２）。
【考案の効果】
【０００９】
本考案によれば、基台１は樹脂発泡体により成る材料であるので軽量でしかも加工も容易であると共に特別な固定手段を何ら用いることなくスタンド支柱２の先端部に軽く突き刺すだけで簡単に飾りスタンドを組み立てることができる。よって、幼い子供や手先が不自由な障害者又は障害老人であっても特別な用具を用いることなく簡単に飾って楽しむことができる。さらに軽量かつコンバクトであることから手軽に持ち運んで組み立てることができる。
【考案を実施するための最良の形態】
【００１０】
樹脂発泡体を基材とする基台１の上方からスタンド支柱２を垂直に突き刺すだけの簡単な操作で飾りスタンドが形成でき、したがって置き場所を選ぶことなく手軽に飾って楽しむことができる。
【実施例】
【００１１】
以下、本考案の実施例を図１ないし図３により説明する。基台１は、ポリスチレン系樹脂又はポリエチレン系樹脂又はポリプロピレン系樹脂などの基材に発泡剤を含浸させた原料ビーズを所定の発泡倍率で発泡させて薄板状に成型したもので、該基材には、黒又は青など任意の着色が施されている。なお、前記基材となる原料ビーズの発泡倍率は小さいほどよいが概ね６０倍（６００％）以下とするのが好ましく、これによりスタンド支柱２を基台１に突き刺したときにその基台を強固に固定できる。換言すると、前記原料ビーズの発泡倍率が大きいと発泡によって生ずる発泡体内の空隙が大きくなり、よってスタンド基部の支え力が低下して少しの外力が加わってもスタンド支柱が基部から傾く虞があるからである。
【００１２】
また、スタンド支柱２は金属ワイヤ又は該金属ワイヤ状に成型した合成樹脂或いは竹や木材等の植物系基材を細い竹ひご状に加工したもので形成され、その先端部３ａ，３ｂはやや鋭利にとがらせて形成するのが好ましい。そして前記先端部の一方が基台１上に突き刺さり他の一方は完成折り紙４の一部に挿入されて該折り紙を下方から支える。なお、一般に、鳥類や空中を飛ぶ乗り物を模った完成折り紙はその下側に小さな開口５が形成されるのが普通であることから該開口５が支柱２の先端部の挿入口となる。
【００１３】
次いで、本考案の作用を鳥類の完成折り紙（本実施例では朱鷺の折り紙）を飾る場合を例に説明する。まず、基台１を取り出して所望の棚や台上に据え置き次いでスタンド支柱２の一方の先端部３ａを基台の略中央部に上方から垂直に突き刺す。このとき、突き刺し部には接着剤や固定具は一切必要としない。
【００１４】
次に、被装飾物である完成折り紙４の下側に形成された開口５にスタンド支柱２の先端部３ｂ側を挿入し突き当たるところまで押し込む。これにより、前記完成折り紙はスタンド支柱２によって支えられると共に鋭利に尖らせて形成されたスタンド支柱２の先端部３ｂとの当接部において点接触状態で支持されることから極めて小さい外力（例えば人が通り過ぎるときに生ずる微風程度）が加わっただけで該当接部を基準としてリアルに回動かつ浮動する。
【００１５】
本考案は以上の如く構成するものであるが、基台１の形状は飾る対象物に合わせて四角形や台形、円筒形、その他の多角形の立方体にするなど適宜選択可能であると共に、支柱２の形状もまた鉛直に限らずＬ形、湾曲形に形成するなど本考案の要旨の範囲内において各種の変形態様が選択可能であることは言うまでもない。
【図面の簡単な説明】
【００１６】
【図１】本考案飾りスタンドの使用態様を表す全体図である。
【図２】飾りスタンドの組み立て状態を示す断面図である。
【符号の説明】
【００１７】
１  基台
２  スタンド支柱
４  完成折り紙
５  開口
【図１】
0003116452.tif 000003
【図２】
0003116452.tif 000004
(57)【要約】【課題】  ボックスホルダーを壁面に固定してボックスをはめ込んだ時、違和感なく見え安定して片手でペーパー等の取り出しができて便利である。【解決手段】  本考案は、ボックスホルダー本体の上部１を７５°傾けることで違和感をなくし、その裏側に薄いゴム板を貼り付けてボックスを抜けにくくして、下部に５５°の角度でゴム板を付けることでボックスをはめ込み易く安定するようにしたものである。そして本体裏面４は、両面接着テープを付けることによりホルダーを壁面にしっかり固定するものである。又４の部分をマグネットに替えることでスチール部分に固定して使用することもできる。【選択図】  図１
0003116581.tif 000002
【実用新案登録請求の範囲】
【請求項１】
ボックスホルダー本体の上部１を７５°に傾けてその裏面２に薄ゴム板を貼りボックスが抜けにくくした。又、下部３に５５°の角度でゴム板を付けてボックスをはめ込み易く安定するようにした。本体裏面４は両面粘着テープを付けることでホルダーを壁面に固定することができ、又、本体裏面４をマグネットに替えることでスチール部分に取り付けて使用することができるボックスホルダーである。
【考案の詳細な説明】
【技術分野】
【０００１】  本考案は、ティッシュペーパー等ボックスを壁面に固定して使用するためのホルダーに関するものである。
【背景技術】
【０００２】  狭い場所、置き場所がない所では適当に置いて使っているが不便である。
【考案の開示】
【考案が解決しようとする課題】
【０００３】  ボックスホルダーを壁面に固定することによりボックスをはめ込んで使用することができるため狭い場所、置き場所がない所では安定して片手でペーパー等の取り出しができ、見た目に違和感がなく設置できる。
【課題を解決するための手段】
【０００４】  本考案は、ホルダー本体を壁面に固定した時、見た目に違和感なく見えるようにして、本体上部１を７５°傾けてその裏側２部分に薄いゴム板を貼り付けてボックスがぬけにくくした。下部３は５５°の角度でゴム板を付けてボックスをはめ込み易く安定するようにして問題を解決している。又、４を両面接着テープにすることで壁面に固定することができ、４をマグネットに替えるとスチール部分に取り付けて使用でき便利である。
【考案の効果】
【０００５】  本考案はホルダーを壁面に固定することで、ボックスをはめ込んで使用することができるため、狭い場所、置き場所がない所等あらゆる場所で安定して使用することができ便利である。
【考案を実施するための最良の形態】
【０００６】  添付図に従って実施例を説明する。
本体は軽い素材を使用し、図１の上部１はボックスをはめ込んだ時、見た目に違和感なく見えるように７５°傾けてその裏側に薄いゴム板２を貼り付けてボックスが抜けにくくした、下部３はボックスをはめ込み易く安定するよう５５°の角度で付けたゴム板である。４は本体を壁面に固定する為の両面接着テープであり、４をマグネットに替えることでスチール部分に取り付けて使用することもできる。
【図面の簡単な説明】
【０００７】
【図１】側面図
【図２】本体正面図
【符号の説明】
【０００８】１  ボックス固定部
２  薄いゴム板
３  ゴム板
４  両面接着テープ又はマグネット板
５  ７５°
６  ５５°
【図１】
0003116581.tif 000003
【図２】
0003116581.tif 000004
【手続補正書】
【提出日】平成17年8月26日(2005.8.26)
【手続補正１】
【補正対象書類名】実用新案登録請求の範囲
【補正対象項目名】全文
【補正方法】変更
【補正の内容】
【実用新案登録請求の範囲】
【請求項１】
ボックスホルダー本体の上部１を７５°に傾けてその裏面２に薄ゴム板を貼りボックスが抜けにくく、又、下部３に５５°の角度でゴム板を付けてボックスをはめ込み易く安定するようにし、本体裏面４は両面粘着テープを付けることでホルダーを壁面に固定することができ、又は、本体裏面４をマグネットに替えることでスチール部分に取り付けて使用することができるボックスホルダー。
(57)【要約】      （修正有）【課題】歯磨きだけでは補えない歯と歯の間の歯石除去を行うデンタルフロス入り歯ブラシセットの提供。【解決手段】通常の歯ブラシと歯磨き粉のセットに１回分の糸状のデンタルフロス約１メートルを専用のプラスティックコイルに巻いたもの、もしくはＹ型のデンタルフロスのどちからを入れ、セットにする。【選択図】図２
0003116585.tif 000002
【実用新案登録請求の範囲】
【請求項１】
通常の歯ブラシと歯磨き粉のセットに１回分の糸状のデンタルフロス約１メートルを専用のプラスティックコイルに巻いたものをセットにし、袋に入れる。
【請求項２】
通常の歯ブラシと歯磨き粉のセットにＹ型のデンタルフロスをセットにし、袋に入れる。
【考案の詳細な説明】
【考案の開示】
【考案が解決しようとする課題】
【０００１】歯磨きだけでは補えない歯と歯の間の歯石除去。
【課題を解決するための手段】
【０００２】通常の歯ブラシと歯磨き粉のセットに１回分の糸状のデンタルフロス約１メートルを専用のプラスティックコイルに巻いたもの、もしくはＹ型のデンタルフロスのどちからを入れ、セットにする。
【考案の効果】
【０００３】歯と歯の間の歯石除去。
【考案を実施するための最良の形態】
【０００４】通常の歯ブラシと歯磨き粉のセットに１回分の糸状のデンタルフロス約１メートルを専用のコイルに巻いたもの、もしくはＹ型のデンタルフロスのどちからを入れ、セットにする。
【図面の簡単な説明】
【０００５】
【図１】通常の歯ブラシと歯磨き粉のセットに１回分の糸状のデンタルフロス約１メートルを専用のプラスティックコイルに巻いたものをセットにし袋に入れる。
【図２】通常の歯ブラシと歯磨き粉のセットにＹ型のデンタルフロスをセットにし、袋に入れる。
【符号の説明】
【０００６】
【図１】
通常の歯ブラシ１１と歯磨き粉１２のセットに１回分の糸状のデンタルフロス約１メートル１４を専用のプラスティックコイル１３ａに巻いたものをセットにし、プラスティックの袋１５に入れる。尚、１３ｂは、１３ａの断面図になります。
【図２】
通常の歯ブラシ１６と歯磨き粉１７のセットにＹ型のデンタルフロス１８をセットにし、プラスティックの袋１９に入れる。
【図１】
0003116585.tif 000003
【図２】
0003116585.tif 000004
【手続補正書】
【提出日】平成17年8月17日(2005.8.17)
【手続補正１】
【補正対象書類名】実用新案登録請求の範囲
【補正対象項目名】全文
【補正方法】変更
【補正の内容】
【実用新案登録請求の範囲】
【請求項１】
歯ブラシと歯磨き粉のセットに１回分の糸状のデンタルフロス約１メートルを専用のプラスチックコイルに巻いたものをプラスティックの袋に入れてなるデンタルフロス入り歯ブラシセット。
【請求項２】
歯ブラシと歯磨き粉のセットにＹ型のデンタルフロスをプラスティックの袋に入れてなるデンタルフロス入り歯ブラシセット。
(57)【要約】      （修正有）【課題】蛇腹の溝に滞留してしまう灯油等の液体を速やかに蛇腹ホースの出口へ流すことが可能にした液だれしない給油用蛇腹ホースの提供。【解決手段】蛇腹ホース本体１に蛇腹の溝が斜め下向き５を設け、斜め下向きの蛇腹の溝５は完全な輪の形で無く、輪が途中から途切れる形にした。蛇腹ホース本体１の内側を流れる灯油等の液体は、給油が終わると同時に蛇腹の溝に滞留しそうになるが、蛇腹の溝が斜め下向き５に沿って、蛇腹の溝の深い部分２からしだいに蛇腹の溝の浅い部分３へ移動し、蛇腹の端の平らな部分４に集まり蛇腹ホースの出口６へ流れ下る。【選択図】図１
0003116589.tif 000002
【実用新案登録請求の範囲】
【請求項１】
給油用蛇腹ホースの溝は、自由に曲げ伸ばしが出来ることは勿論、従来の蛇腹ホースとは違って、蛇腹ホースの溝が一つ一つ完全に分離した状態の輪の形では無く、輪が途中から途切れる形にし、更に、蛇腹の溝を斜め下向きにし、蛇腹の溝を深い部分から徐々に浅くして溝の端を平らにした。蛇腹の端の平らな部分は蛇腹ホースの上から下まで一直線にしたため、蛇腹ホース本体の内部を、流れる灯油等の液体は給油が終わると同時に、そのほとんどが蛇腹ホースの出口から排出されるが、わずかに蛇腹ホースの溝に滞留しそうになる。しかし、蛇腹の溝が斜め下向きのため、灯油等の液体は、蛇腹の溝の深い部分からしだいに蛇腹の溝の浅い部分へ移動し、蛇腹の端の平らな部分に集まる。蛇腹の端の平らな部分は蛇腹ホースの上から下まで一直線になっているため、灯油等の液体は、速やかに蛇腹の端の平らな部分を流れ下り、蛇腹ホースの出口から排出される。
【考案の詳細な説明】
【技術分野】
【０００１】  本考案は、給油ポンプに接続された蛇腹ホースの蛇腹の溝を斜め下向きにし、蛇腹の溝の端に平らな部分を設けた、給油用蛇腹ホースに関するものである。
【背景技術】
【０００２】  従来の蛇腹ホースは、給油が終わっても蛇腹の溝に溜まった灯油等の液体がいつまでも流れ出し、ストーブの周りに飛び散った灯油等の液体が気化して非常に危険であった。
【考案の開示】
【考案が解決しようとする課題】
【０００３】  蛇腹ホースの蛇腹の溝に溜まった灯油等の液体を完全に流しきる為には、永い時間を要し、又、蛇腹ホースを無理に振ったりすれば灯油等の液体が周りに飛び散って非常に危険であった。従って、蛇腹の溝に溜まった灯油等の液体を流れやすくする為には、蛇腹の溝を斜め下向きにし、蛇腹の溝の端に平らな部分を設けることにより、前述の欠点を解決しようとするものである。
【課題を解決するための手段】
【０００４】  本考案は、蛇腹ホースの蛇腹の溝が一つ一つ完全に分離した状態の輪の形では無く、輪が途中から途切れる形にし、更に、蛇腹の溝を斜め下向きにし、蛇腹の溝の深い部分からしだいに蛇腹の溝の浅い部分へと深さを変えて、蛇腹の端を平らな部分にした。蛇腹の端の平らな部分は蛇腹ホースの上から下まで一直線にしたことにより、灯油等の液体を流れやすくすることで、問題点を解決している。
【考案の効果】
【０００５】  上述の様に、本考案の液だれしない給油用蛇腹ホースは、ホースの曲げ伸ばしに必要な蛇腹ホースの溝の深さに改良を加えた。蛇腹の溝の深さを深い部分からしだいに蛇腹の溝の浅い部分へ変化させて、蛇腹の溝の端に平らな部分を設けた。更に、蛇腹ホースの溝全体を斜め下向きに揃えた為、給油の終了と同時に蛇腹の溝に溜まっていた灯油等の液体が、簡単に流れ下り、蛇腹ホースの出口へと達することにより、給油ポンプを速やかに片付けられ、給油時間の短縮に役立つ。
【考案を実施するための最良の形態】
【０００６】  給油用蛇腹ホースの蛇腹の溝は、自由に曲げ伸ばしが出来き、溝の一つ一つが完全に分離した状態の輪の形では無く、輪が途中から途切れる形にし、更に、蛇腹の溝を斜め下向きにした。蛇腹の溝を深い部分からしだいに蛇腹の溝の浅い部分へと深さを変えて、蛇腹の端を平らな部分にした。蛇腹の端の平らな部分は、蛇腹ホースの上から下まで一直線にしたことにより、蛇腹の溝に溜まっていた灯油等の液体が、簡単に流れ下り、蛇腹ホースの出口へ速やかに排出される。
【実施例】
【０００７】  以下、添付図面に従って一実施例を説明する。蛇腹ホース本体１の内部を、流れる灯油等の液体は、給油が終わると同時に、そのほとんどが蛇腹ホースの出口６から排出されるが、わずかに蛇腹の溝が斜め下向き５に滞留しそうになる、しかし、蛇腹の溝が斜め下向き５のため、灯油等の液体は、蛇腹の溝の深い部分２からしだいに蛇腹の溝の浅い部分３へ移動し、蛇腹の端の平らな部分４に集まる。蛇腹の端の平らな部分４は蛇腹ホースの上から下まで一直線になっているため、灯油等の液体は、速やかに蛇腹ホースの出口６へ流れ下り排出される。
【図面の簡単な説明】
【０００８】
【図１】本考案の液だれしない給油用蛇腹ホースの図である。
【図２】上述の（図１）を上から見た断面図である。
【図３】上述の（図１）の給油ポンプの全体図である。
【符号の説明】
【０００９】１  蛇腹ホース本体
２  蛇腹の溝の深い部分
３  蛇腹の溝の浅い部分
４  蛇腹の端の平らな部分
５  蛇腹の溝が斜め下向き
６  蛇腹ホースの出口
【図１】
0003116589.tif 000003
【図２】
0003116589.tif 000004
【図３】
0003116589.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
給油用蛇腹ホースの溝の一つ一つを途中から途切れた状態の輪にして、蛇腹の溝を斜め下向きに設けることにより、灯油等の液体は蛇腹の溝の深い部分からしだいに蛇腹の溝の浅い部分へ移動させられ、蛇腹の端の平らな部分に集められながら速やかに流れ下り、蛇腹ホースの出口から排出されることを特徴とする、液だれしない給油用蛇腹ホース。